(57)【要約】【課題】高い作業性と良好な品質とを有する燃料電池スタックを提供する。【解決手段】燃料電池スタック１は、燃料電池単セル１０の積層体２０を積層方向から付勢する複数の付勢手段８、９と、付勢手段の付勢力を調整する複数の調整手段２、５と、を有し、複数の調整手段が、互いに連動して付勢力を同時に調整することを特徴とする。【選択図】図１
2009152070.tif 000002
【特許請求の範囲】
【請求項１】
発電の基本単位をなす燃料電池単セルが、複数積層してなる積層体と、
前記燃料電池単セルの積層方向から前記積層体を付勢する複数の付勢手段と、
前記複数の付勢手段の付勢力を、互いに連動して同時に調整する複数の調整手段と、を有することを特徴とする燃料電池スタック。
【請求項２】
前記付勢手段を押圧した状態で、前記積層方向に対して傾きを有する傾斜面で相対的に摺動して前記付勢力を調整する、第１部材および第２部材を、前記調整手段が有することを特徴とする請求項１に記載の燃料電池スタック。
【請求項３】
前記積層方向に対する前記傾斜面の角度が、前記調整手段の配置位置に応じて設定されていることを特徴とする請求項２に記載の燃料電池スタック。
【請求項４】
前記複数の傾斜面が、前記積層方向に伸びる仮想線に対して線対称に配置され、前記複数の第１部材および前記第２部材が、前記仮想線に対して線対称に摺動可能であることを特徴とする請求項２または３に記載の燃料電池スタック。
【請求項５】
前記調整手段が、前記傾斜面にリニアガイドを有することを特徴とする請求項２〜４のいずれか１項に記載の燃料電池スタック。
【請求項６】
発電の基本単位をなす燃料電池単セルが複数積層してなる積層体、前記燃料電池単セルの積層方向から前記積層体を付勢し、前記積層体に面圧を付与する複数の付勢手段、ならびに、前記積層方向に対して傾きを有する傾斜面で互いに摺接する第１部材および第２部材を有する燃料電池スタックにおける、面圧調整方法であって、
前記第１部材および第２部材により前記複数の付勢手段を押圧した状態で、前記第１部材および第２部材を前記傾斜面で相対的に摺動させ、前記複数の付勢手段の付勢力を同時に調整して、前記面圧を調整することを特徴とする面圧調整方法。
【発明の詳細な説明】
【技術分野】
【０００１】
本発明は、燃料電池スタックおよびその面圧調整方法に関する。
【背景技術】
【０００２】
自動車用燃料電池や定置式燃料電池は、実用的な電圧を得るため、発電の基本単位をなす燃料電池単セル（以下、単に単セルと称す）が複数積層するとともに電気的に接続した構成の燃料電池スタックを備える。
【０００３】
積層体を構成する複数の単セルの各々は、両面に電極を有する扁平形状の膜電極接合体を、板状のセパレータが挟んだ構成を有し、単セル同士は、セパレータで接して電気的に接続している。
【０００４】
燃料電池スタックにおいては、積層体に積層方向から荷重を付与する保持手段が、積層体を圧縮状態で保持している。例えば特許文献１では、保持手段は、単セルの積層体を挟む一対のエンドプレートと、エンドプレートに当接する複数の皿ばねと、皿ばねを押圧するプレッシャプレートとを有し、プレッシャプレートにより皿ばねを圧縮して、積層体に荷重を付与している。
【０００５】
接触抵抗低減のため、特に、単セル内部の電極における接触抵抗低減のため、皿ばねの圧縮反力を受けて電極が位置する単セル中央部を押圧するエンドプレートにおいて、面圧は均一であることが好ましい。
【特許文献１】特開２００７−５１６９号公報
【発明の開示】
【発明が解決しようとする課題】
【０００６】
しかし、燃料電池スタックの小型化のため、皿ばねを圧縮するプレッシャプレートやエンドプレートが肉薄であると、これらはたわみ易く、作業者が１つの皿ばねを圧縮すると、他の皿ばねの圧縮量が変化し易いため、面圧が均一になり難い。このため、作業者は、微調整を繰り返して面圧を均一にする必要があり、面圧調整作業の更なる簡便化が求められていた。
【０００７】
本発明は上記課題を解決するためになされたものであり、高い作業性と良好な品質とを有する燃料電池スタック、および、作業性と製品品質との向上を図ることができる燃料電池スタックの面圧調整方法を提供することを目的とする。
【課題を解決するための手段】
【０００８】
上記目的を達成するための本発明の燃料電池スタックは、燃料電池単セルの積層体を積層方向から付勢する複数の付勢手段と、付勢手段の付勢力を調整する複数の調整手段と、を有し、複数の調整手段が、互いに連動して付勢力を同時に調整することを特徴とする。
【０００９】
また、本発明の面圧調整方法は、積層方向に対して傾きを有する傾斜面で互いに摺接する第１部材および第２部材を、付勢手段を押圧した状態で傾斜面で相対的に移動させ、複数の付勢手段の付勢力を同時に調整して、面圧を調整することを特徴とする。
【発明の効果】
【００１０】
上記構成を有する本発明の燃料電池スタックでは、作業者は複数の付勢力を同時に調整できるため、個別に付勢力を調整する場合のように、エンドプレート等のたわみによる面圧変化を補正しながら面圧を均一にする必要がなく、簡単な作業で面圧を均一にできる。
【００１１】
したがって、本発明の燃料電池スタックは、高い作業性および良好な品質を有する。
【００１２】
上記構成を有する本発明の面圧調整方法は、複数の付勢手段の付勢力を同時に調整するため、個別に付勢力を調整する場合のように、エンドプレート等のたわみによる面圧変化を補正しながら面圧を均一にする必要がなく、簡単な作業で面圧を均一にできる。
【００１３】
したがって、本発明の面圧調整方法は、作業性および製品品質の向上を図ることができる。
【発明を実施するための最良の形態】
【００１４】
以下、図面を参照して本発明の実施形態を説明する。なお、各実施形態において、共通する機能を有する部材については、類似の符号を付し、また、重複する説明は省略する。
【００１５】
＜第１実施形態＞
図１は第１実施形態の燃料電池スタックの概略図、図２は燃料電池単セルの概略図、図３は図１の燃料電池スタックの部分拡大図、図４は図３のＩＶ−ＩＶ線に沿う断面図である。
【００１６】
図１に示すように、第１実施形態の燃料電池スタック１は、発電の基本単位をなす扁平な燃料電池単セル１０（以下、単に単セル１０と称す）が複数積層してなる積層体２０、および積層体２０に荷重を付与するための皿ばね８、９を有する。本実施形態の燃料電池スタック１は、５つの皿ばね８、９を有し、また、各皿ばね８、９の荷重を調整する調整手段２、５を有する。
【００１７】
複数の単セル１０は、積層するとともに互いに電気的に接続しており、これら複数の単セル１０で発生する電流を外部に取り出すため、燃料電池スタック１は、導電性の集電板２１を有している。集電板２１は、単セル１０の積層方向（以下、単に積層方向と称す）から積層体２０を挟むとともに、積層体２０に電気的に接続している。
【００１８】
本実施形態では、５つの皿ばね８、９が積層体２０に荷重を付与するが、単セル１０にかかる面圧が均一となるように、燃料電池スタック１は、皿ばね８、９の圧縮反力を受ける、エンドプレート２３、２４を有する。エンドプレート２３、２４は、単セル１０と略同等の面積を有する長方形形状の平板で、電気的絶縁性を有する絶縁板２２を介して、積層体２０および集電板２１を積層方向から挟んでいる。
【００１９】
皿ばね８、９の圧縮反力を調整する５つの調整手段２、５は、一対のエンドプレート２３、２４のうちの、一方のエンドプレート２４の平面に、当接している。この調整手段２、５を介して、皿ばね８、９は、積層体２０に荷重を付与している。
【００２０】
５つの調整手段２、５は、エンドプレート２４の長辺に沿って、エンドプレート２４の周縁部から周縁部まで等間隔に並び、これらを互いに連動させるためのねじ軸２６により繋がっている。
【００２１】
ねじ軸２６は、ねじ作用により各調整手段２、５に接続しており、また、エンドプレート２４の平面に対して直角に突出した軸取付部２５に、正逆回転可能に取り付いている。なお、本実施形態では、軸取付部２５と反対方向に位置するねじ軸２６の操作側からみて、時計回りを正方向Ｒ１とし、反時計回りを逆方向Ｒ２とする。
【００２２】
皿ばね８、９は、一端で調整手段２、５に当接するとともに、他端で、エンドプレート２４に相対するプレッシャプレート１７に当接している。プレッシャプレート１７、および燃料電池スタック１の端に位置するエンドプレート２３は、積層方向に伸びる長尺状の板材であるテンションプレート２８で互いに繋がって、皿ばね８、９を圧縮状態に保持している。
【００２３】
プレッシャプレート１７およびエンドプレート２３は、調整手段２、５の並んだ方向と平行な側面に、複数のねじ穴を有しており、このねじ穴に嵌まったボルト２７が、テンションプレート２８を、プレッシャプレート１７およびエンドプレート２３に締結している。
【００２４】
以下、燃料電池スタック１の個々の部材について説明する。
【００２５】
図２に示すように、発電の基本単位をなす単セル１０は、イオン伝導性の電解質膜１１の両面に電極１２が接合した構成の膜電極接合体１６を、反応ガス流路１８および冷媒流路１９を有するセパレータ１７が挟んだ構成を有する。
【００２６】
電解質膜１１の両面の電極１２は、電解質膜１１に接し電気化学反応を進行させる触媒層１３、および触媒層１３に反応ガスを均一に拡散させるガス拡散層１４からなる２層構造を有する。
【００２７】
触媒層１３は、触媒粒子、および触媒粒子を担持する導電性担体を含んでいる。触媒粒子としては、水素の酸化反応および／または酸素の還元反応に対して触媒作用を有するものであれば、従来公知のものを特に制限することなく用いることができる。例えば、触媒粒子は、白金等の金属や、白金を主成分とする合金などである。また、触媒粒子を担持する導電性担体は、例えばカーボン粒子である。
【００２８】
触媒層１３に反応ガスを均一に拡散させるガス拡散層１４も、従来公知のものを特に制限することなく用いることができる。例えば、炭素製の織物、紙状抄紙体、フェルト、不織布といった導電性および多孔質性を有するシート状材料を基材とするものなどが挙げられる。より具体的には、カーボンペーパ、カーボンクロス、カーボン不織布などが好ましく挙げられる。
【００２９】
このようなガス拡散層１４に対して、反応ガス流路１８および冷媒流路１９を有するセパレータ１７は反応ガス流路１８を有する面で接しており、反応ガスである、酸素を含んだ酸化剤ガスまたは水素を含んだ燃料ガスが、ガス拡散層１４内を拡散する。セパレータ１７は、板厚の薄い金属板である。
【００３０】
単セル１０内を移動する反応ガスの漏出を防止するため、単セル１０は、電解質膜１１の両面に、電極１２を囲むシール部材１５を有する。シール部材１５の材質は、例えばＯリングのようなゴムであり、絶縁性および弾性を有する。
【００３１】
燃料電池スタック１においては、セパレータ１７が、皿ばね８、９からの荷重を受けて、シール部材１５およびガス拡散層１４を所望の厚さに圧縮している。このように、セパレータ１７が、シール部材１５を圧縮することにより、シール部材１５は、セパレータ１７に密着して高いシール性を発揮する。また、セパレータ１７が、荷重を受けてガス拡散層１４を所望の厚さに圧縮することにより、ガス拡散層１４は、所望のガス拡散性能を示す。
【００３２】
次に、単セル１０ひいては積層体２０に荷重を付与する皿ばね８、９の圧縮量を調整する調整手段２、５について説明する。
【００３３】
図３に示すように、各調整手段２、５は、単セル１０の面方向に移動可能な第１テーパブロック３、６、および、第１テーパブロック３、６の移動にともない積層方向に移動して皿ばね８、９の圧縮量を調整する第２テーパブロック４、７を有する。
【００３４】
第１テーパブロック３、６は、ねじ作用によりねじ軸２６に接続しており、ねじ軸２６の回転に応じて、単セル１０の面方向にエンドプレート２４の長辺に沿って移動する。なお、第１テーパブロック３、６は、ボールねじのようにボールを介してねじ軸２６に接続しているため、円滑に移動できる。第１テーパブロック３、６は、平らな底面と、この底面に対して傾きを持った傾斜面３１、６１を有しており、底面でエンドプレート２４に当接している。
【００３５】
一方、第２テーパブロック４、７は、皿ばね８、９を押圧する平らな押圧面と、押圧面に対して傾きを持った傾斜面４１、７１を有しており、この傾斜面４１、７１で、第１テーパブロック３、６の傾斜面３１、６１に摺動可能に当接している。第２テーパブロック４、７における、皿ばね８、９を押圧する平らな押圧面は、エンドプレート２４の平面に対して平行である。
【００３６】
また、第２テーパブロック４、７は、押圧面および傾斜面４１、７１に対して直角な側面を有しており、この側面に、押圧面に対して直角に伸びる断面矩形形状の案内溝４２、７２を備えている。積層方向に伸びるテンションプレート２８は、案内溝４２、７２を通っており、第２テーパブロック４、７は、テンションプレート２８に沿って移動する。
【００３７】
第１テーパブロック３、６と第２テーパブロック４、７とが接する傾斜面３１、４１、６１、７１の、積層方向に対する角度α１、α２は、調整手段２、５の配置位置によって異なる。なお、角度α１、α２は、鋭角である。
【００３８】
５つの調整手段２、５では、両端に位置する調整手段２の傾斜面３１、４１の角度α１が、他の調整手段５の傾斜面６１、７１の角度α２よりも小さい（α１＜α２）。また、両端に位置する調整手段２の積層方向の厚さは、他の調整手段５の積層方向の厚さに比べて厚い。
【００３９】
すなわち、エンドプレート２４の周縁部に位置する調整手段２においては、他の調整手段５に比べ、積層方向に対する傾斜面３１、４１の角度α１が小さく、また、積層方向の厚さが厚い。
【００４０】
次に、以上説明した燃料電池スタック１の面圧調整方法について説明する。
【００４１】
本実施形態の燃料電池スタック１の面圧調整方法は、第１テーパブロック３、６および第２テーパブロック４、７を傾斜面３１、４１、６１、７１で相対的に摺動させ、複数の皿ばね８、９の圧縮反力を同時に調整して面圧を調整する。
【００４２】
以下、具体的に述べる。
【００４３】
面圧を上げたい場合、作業者は、ねじ軸２６を正方向Ｒ１に回転させて、各調整手段２、５の第１テーパブロック３、６を、その傾斜面３１、６１で第２テーパブロック４、７を押圧するように、同時に同じ距離移動させる。
【００４４】
このとき、各調整手段２、５の第２テーパブロック４、７が、第１テーパブロック３、６からの力を受けて積層方向に同時に摺動し、圧縮状態の皿ばね８、９を更に圧縮するため、皿ばね８、９の圧縮反力が増加し、面圧が増加する。
【００４５】
前述のように、５つの調整手段２、５では、両端に位置する調整手段２における、傾斜面３１、４１の角度α１は、他の調整手段５の傾斜面６１、７１の角度α２よりも小さい（α１＜α２）。
【００４６】
このため、ねじ軸２６を正方向Ｒ１に回転させたときの、両端の調整手段２における第２テーパブロック４の積層方向への移動距離は、その他の調整手段５における第２テーパブロック７の移動距離よりも大きい。
【００４７】
よって、両端の調整手段２が圧縮する皿ばね８の圧縮量は、他の調整手段５が圧縮する皿ばね９の圧縮量よりも大きく、エンドプレート２４の周縁部には、中央部に比べて大きな荷重がかかる。
【００４８】
一方、面圧を下げたい場合、作業者は、ねじ軸２６を逆方向Ｒ２に回転させ、各調整手段２、５の第１テーパブロック３、６を、第２テーパブロック４、７から離隔するように、同時に同じ距離移動させる。
【００４９】
このとき、第１テーパブロック３、６に摺接する第２テーパブロック４、７は、テンションプレート２８に沿ってエンドプレート２４に向かって同時に移動し、皿ばね８、９の圧縮量を減少させるため、皿ばね８、９の圧縮反力が減少し、面圧が減少する。
【００５０】
図４に示すように、調整手段５は、第１テーパブロック６の傾斜面６１に、リニアガイド６３を有しており、面圧調整の際、第１テーパブロック６および第２テーパブロック７は、リニアガイド６３に沿って相対的に摺動する。図示しないが、調整手段２も、同様にリニアガイドを傾斜面３１に有する。
【００５１】
なお、リニアガイド６３は、レールとレール側面で循環するボール（不図示）からなる案内方式であり、調整手段５の第２テーパブロック７は、リニアガイド６３に嵌合する溝７３を傾斜面４１、７１に備えている。
【００５２】
第１実施形態の効果を説明する。
【００５３】
第１実施形態では、作業者は調整手段２、５により複数の皿ばね８、９の荷重を同時に調整できるため、個別に荷重を調整していく必要がなく、面圧調整が容易である。
【００５４】
また、作業者は複数の皿ばね８、９の荷重を同時に調整できるため、個別に荷重を調整する場合のように、エンドプレート２４等のたわみによる面圧変化を補正しながら面圧を均一にする必要がなく、簡単な作業で面圧を均一にできる。
【００５５】
したがって、第１実施形態の燃料電池スタック１は、高い作業性および良好な品質を有する。また、第１実施形態の燃料電池スタック１の面圧調整方法は、作業性および製品品質の向上を図ることができる。
【００５６】
経年により単セル１０が塑性変形し、単セル１０ひいては積層体２０の積層方向の厚さが製造時に比べて薄くなり、面圧が減少したとき、作業者は、皿ばね８、９の圧縮量を増加させて適切な面圧を付与する必要がある。
【００５７】
例えば、燃料電池スタック１が、積層方向に伸びるボルトを締付けて皿ばね８、９を圧縮する構成である場合、上記経時変化を考慮して、塑性変形による厚さの減少分だけ、予めボルトを長く設定したり、ボルトの移動スペースを確保したりする必要がある。このため、燃料電池スタック１の、積層方向の長さが長くなる。
【００５８】
本実施形態の調整手段２、５では、第１テーパブロック３、６および第２テーパブロック４、７が、皿ばね８、９を押圧した状態で、傾斜面で相対的に摺動する。このため、燃料電池スタック１は、調整手段２、５自身の位置を変えることなく、調整手段２、５の厚さを変えて皿ばね８、９の圧縮量を調整できる。したがって、本実施形態の燃料電池スタック１では、積層方向における長さが、積層方向に伸びるボルトにより皿ばね８、９の圧縮量を調整する場合に比べて短く、燃料電池スタック１の容積が小さい。
【００５９】
第１実施形態では、５つの調整手段２、５のうち、エンドプレート２４の周縁部に位置する調整手段２は、他の調整手段５に比べ、積層方向の厚さが厚い。このため、エンドプレート２４の周縁部に位置する皿ばね８の圧縮量は、他の皿ばね９の圧縮量に比べて大きく、エンドプレート２４の周縁部に大きな面圧がかかる。よって、単セル１０のセパレータ１７が、単セル１０の周縁部に位置するシール部材１５を所望の厚さに圧縮して反応ガスの漏出を防止でき、燃料電池スタック１は、所望の電池性能を発揮できる。
【００６０】
また、エンドプレート２４中央に位置する３つの調整手段５が圧縮する皿ばね９においては、圧縮量が等しいため、均一な面圧が単セル１０の電極１２にかかり、ガス拡散層１４が所望の厚さとなる。よって、反応ガスが円滑にガス拡散層１４中を拡散し、燃料電池スタック１は、所望の電池性能を発揮できる。
【００６１】
以上のことより、第１実施形態では、燃料電池スタック１の各構成部品に適切な面圧がかかっており、燃料電池スタック１が、所望の電池性能を発揮できる。
【００６２】
また、５つの調整手段２、５のうち、エンドプレート２４の周縁部に位置する調整手段２では、他の調整手段５に比べ、積層方向に対する傾斜面の角度α１が小さい。このため、作業者が、ねじ軸２６を正方向Ｒ１に回して、各調整手段２、５の第１テーパブロック３、６を同方向に同距離だけ移動させたとき、両端部の調整手段２は、他の調整手段５よりも皿ばね８を大きく圧縮する。よって、単セル１０中央の電極１２に比べて塑性変形による厚さの減少量が大きい、単セル１０のシール部材１５に、電極１２にかかる面圧よりも大きな面圧がかかり、気密性が保持される。
【００６３】
したがって、第１実施形態では、面圧調整の際に構成部品に応じて適切な面圧を作業者が付与でき、所望の電池性能が維持される。
【００６４】
第１実施形態では、調整手段２、５が、第１テーパブロック３、６と第２テーパブロック４、７とが接する傾斜面３１、４１、６１、７１にリニアガイド６３を有する。このため、作業者は、効率良く、また円滑に、第１テーパブロック３、６および第２テーパブロック４、７を摺動でき、荷重調整における作業性が良い。
【００６５】
＜第２実施形態＞
図５は、第２実施形態の燃料電池スタックの概略図である。
【００６６】
図５に示すように、第２実施形態では第１実施形態と異なり、燃料電池スタック１Ａが６つの調整手段２Ｌ、２Ｒ、５Ｌ、５Ｒを有する。６つの調整手段２Ｌ、２Ｒ、５Ｌ、５Ｒは、エンドプレート２４Ａの中心を通り積層方向に伸びる仮想線ＣＬに対して、線対称に並ぶ。また、６つの調整手段２Ｌ、２Ｒ、５Ｌ、５Ｒの各傾斜面３１Ｌ、３１Ｒ、６１Ｌ、６１Ｒも、仮想線ＣＬに対して線対称である。
【００６７】
調整手段２Ｌ、２Ｒ、５Ｌ、５Ｒを連動させるねじ軸２６Ａは、互いに異なるねじ山を有する第１ねじ部２６Ｌおよび第２ねじ部２６Ｒを有する。軸取付部２５Ａ側の第１ねじ部２６Ｌが、左ねじであり、もう一方の第２ねじ部２６Ｒが、右ねじである。第１ねじ部２６Ｌに対して、３つの調整手段２Ｌ、５Ｌが接続しており、第２ねじ部２６Ｒに対して、３つの調整手段２Ｒ、５Ｒが接続している。
【００６８】
作業者が、ねじ軸２６Ａを正方向Ｒ１に回転させたとき、第１ねじ部２６Ｌに接続した３つの調整手段２Ｌ、５Ｌにおける各第１テーパブロック３Ｌ、６Ｌは、軸取付部２５Ａが保持するねじ軸２６Ａの一端に向かって同じ距離だけ移動する。このとき、それぞれの第１テーパブロック３Ｌ、６Ｌは、各第１テーパブロック３Ｌ、６Ｌに摺接する第２テーパブロック４Ｌ、７Ｌを皿ばね８Ａ、９Ａに向かって押し上げる。
【００６９】
一方、第２ねじ部２６Ｒに接続した３つの調整手段２Ｒ、５Ｒの各第１テーパブロック３Ｒ、６Ｒは、第１ねじ部２６Ｌに接続した第１テーパブロック３Ｌ、６Ｌと仮想線ＣＬに対して線対称に移動する。このとき、各第１テーパブロック３Ｒ、６Ｒは、第２テーパブロック４Ｒ、７Ｒを皿ばね８Ａ、９Ａに向かって押し上げる。
【００７０】
第２実施形態では、６つの調整手段２Ｌ、２Ｒ、５Ｌ、５Ｒの各傾斜面３１Ｌ、３１Ｒ、６１Ｌ、６１Ｒが、仮想線ＣＬに対して線対称であるため、積層方向に対して直角方向の力が仮想線ＣＬに対して線対称となり、釣り合う。また、面圧調整の際も、第１ねじ部２６Ｌに接続した第１テーパブロック３Ｌ、６Ｌおよび第２ねじ部２６Ｒに接続した第１テーパブロック３Ｒ、６Ｒが、線対称に移動するため、積層方向に対して直角方向の力が対称となる。
【００７１】
したがって第２実施形態は、第１実施形態の効果に加え、燃料電池スタック１Ａの歪みが少なく、また、面圧調整の際、燃料電池スタック１Ａの歪みの発生を抑制できるという効果を奏する。
【００７２】
本発明は、上述した実施の形態に限定されるものではなく、特許請求の範囲の範囲内で種々改変できる。例えば、皿ばねや調整手段の個数は、上記実施形態に限定されるものではなく、単セルの大きさ等に応じて種々設計できる。
【図面の簡単な説明】
【００７３】
【図１】第１実施形態の燃料電池スタックの概略図である。
【図２】燃料電池単セルの概略図である。
【図３】図１の燃料電池スタックの部分拡大図である。
【図４】図３のＩＶ−ＩＶ線に沿う断面図である。
【図５】第２実施形態の燃料電池スタックの概略図である。
【符号の説明】
【００７４】
１    燃料電池スタック、
２、５    調整手段、
３、６    第１テーパブロック（第１部材）、
４、７    第２テーパブロック（第２部材）、
８、９    皿ばね（付勢手段）、
１０    燃料電池単セル、
２０    積層体、
２１    集電板、
２２    絶縁板、
２３、２４    エンドプレート、
２５    軸取付部、
２６    ねじ軸、
２７    ボルト、
２８    テンションプレート。
【図１】
2009152070.tif 000003
【図２】
2009152070.tif 000004
【図３】
2009152070.tif 000005
【図４】
2009152070.tif 000006
【図５】
2009152070.tif 000007